(57)【要約】【課題】平坦な記録層を積層した光記録媒体の各記録層にトラッキング用サーボ情報をフォーマットする。【解決手段】螺旋状にトラッキングするための基準となる凹凸部を設けた第１基準層と前記第１基準層と逆方向にトラッキングするための第２基準層とからなる基準層に隣接して平坦な記録層を積層した光記録媒体をフォーマットする、第１のレーザ光源からの第１のレーザビームを前記基準層の凹凸部に照射して前記光記録媒体のトラッキングを行うための第１のレーザビーム制御部と、前記第１のレーザビームがオントラックしているときに前記第１のレーザ光源より短波長の第２のレーザ光源からの第２のレーザビームを目的の記録層に照射してフォーカス制御を行うための第２のレーザビーム制御部と、前記第２のレーザビームに記録すべきトラッキングサーボ情報を与えるためのフォーマット制御部と、を有する光記録媒体のフォーマッタ装置。【選択図】図６
2014241179.tif 000002
【特許請求の範囲】
【請求項１】
螺旋状にトラッキングするための基準となる凹凸部を設けた第１基準層と前記第１基準層と逆の方向に螺旋状にトラッキングするための基準となる凹凸部を設けた第２基準層とからなる基準層を持ち、前記基準層に隣接して平坦な記録層を積層した光記録媒体をフォーマットする光記録媒体のフォーマッタ装置において、
第１のレーザ光源と前記第１のレーザ光源より短波長の第２のレーザ光源と、
前記第１と第２のレーザ光源からの第１と第２のレーザビームを同一の対物レンズを介して前記光記録媒体に光ビームを照射する光学ピックアップと、
前記第１のレーザビームを前記基準層の凹凸部に照射して前記光記録媒体のトラッキングを行うための第１のレーザビーム制御部と、
前記第１のレーザビームがオントラックしているときに前記第２のレーザビームを目的の記録層に照射してフォーカス制御を行うための第２のレーザビーム制御部と、
前記第２のレーザビームに記録すべきトラッキングサーボ情報を与えるためのフォーマット制御部と、
を有する光記録媒体のフォーマッタ装置。
【請求項２】
前記光記録媒体は、
前記基準層の一方の表面に平坦な記録層を積層した第１の記録層群と、前記基準層の他方の表面に平坦な記録層を積層した第２の記録層群と、前記第２の記録層群の前記基準層側と反対の面に設けられた基板と、
からなる請求項１に記載の光記録媒体のフォーマッタ装置。
【請求項３】
前記フォーマット制御部は、
前記記録層におけるトラッキングサーボ情報の記録が終了する毎に、
前回フォーカスを合わせていた前記第１または第２基準層とは異なる前記第１または第２基準層にフォーカスを合わせ、その基準層の凹凸部を利用してトラッキングを行う指令を第１のレーザビーム制御部に与える、
請求項１に記載の光記録媒体のフォーマッタ装置。
【請求項４】
前記フォーマット制御部は、
前記第１のレーザビームが前記第１基準層にオントラックしているときは前記第２のレーザビームを前記基準層に隣接する記録層又はその１つおき毎に隣接する記録層にフォーカスを合わせ、
前記第１のレーザビームが前記第２基準層にオントラックしているときは前記第２のレーザビームを前記第１基準層にオントラックしているときにフォーカスを合わせない記録層にフォーカスを合わせる指令を前記第２のレーザビーム制御部に与える、
請求項１に記載の光記録媒体のフォーマッタ装置。
【発明の詳細な説明】
【技術分野】
【０００１】
本発明は、光記録媒体のフォーマッタ装置に関するものである。より詳細には、多層の記録層を持つ光記録媒体に対して、サーボ情報を記録するためのフォーマッタ装置に関する。
【背景技術】
【０００２】
大容量の光記録媒体として、記録層を多層にした光記録媒体が知られている。例えば、光透過性のスペーサ層を挟んで積層された複数の情報記録層を有する多層型光記録媒体が知られている（例えば、特許文献１を参照）
図１４（ａ）に、６層の記録層を持つ光記録媒体構造を示す。これは、表面にトラック溝となる凹凸が形成された、厚さ１．１ｍｍのポリカーボネート基板１０００を用意し、トラック溝となる凹凸が形成された面上にＬ０記録層１００１をスパッター法により形成する。このＬ０記録層１００１は、図１４（ｂ）に示すように記録膜及びその両面に配置された誘電体層を含んでおり、片側の誘電体層とポリカーボネート基板１０００との間には金属反射層が設けられている。このＬ０記録層１００１の上にスペーサ層１００２を形成し、さらにその上にＬ１記録層１００３を形成する。同様にしてスペーサ層（１００４、１００６、１００８、１０１０）と記録層（１００５、１００７、１００９、１０１１）とを交互に形成しＬ２〜Ｌ５記録層を構成する。Ｌ５記録層１０１１の上にカバー層１０１２が形成されている。各スペーサ層の厚さは、それぞれ１０〜３０μｍ程度であり、紫外線硬化樹脂により形成されている。各スペーサ層は、２Ｐ法及び／又はシート状のナノプリント法を用いて形成されており、各表面には、ポリカーボネート基板１０００に形成されたトラック溝と同様のトラック溝が形成されている。
【０００３】
カバー層１０１２側に光ピックアップからのレーザ光１０１３を照射して、必要な記録層への情報の書き込みや読み出しを行うことで、この光記録媒体への情報の書き込みや再生が行われる。このときの、トラッキングには、各記録層に凹凸が形成されたトラック溝が利用される（例えば、特許文献２を参照。）。
【先行技術文献】
【特許文献】
【０００４】
【特許文献１】特開２００４−２１３７２０号公報
【特許文献２】特開２００９−１１０５５７号公報
【発明の概要】
【発明が解決しようとする課題】
【０００５】
しかしながら、前記従来の構成では、記録層毎に光ピックのトラッキングを制御するための凹凸をもつトラック溝を持つため、この凹凸による光回折のため記録層を通過する透過光の光量が低下する。そのため、数多く記録層を積層すると、最下層にある記録層の記録再生が極めて困難になる、
この問題を解決するため、本発明者らは、トラッキング溝を持たない平坦な記録層を積み重ねた光記録媒体を考案した。この光記録媒体の記録層にはトラック溝を持たないので、各記録層にトラッキングのためのサーボ情報を付加しなければならない（以下、本願明細書ではこれをフォーマットと定義する。）。しかし、このような積層された光記録層を正確にフォーマットできるフォーマッタ装置が知られておらず、新たに考案する必要が生じた。
【０００６】
本発明は、前記新たな課題を解決するもので、トラッキング溝のない平坦な記録層を積み重ねた光記録媒体において、各記録層にトラッキング用サーボ情報を正確にフォーマットできるフォーマット装置の提供を目的とする。
【課題を解決するための手段】
【０００７】
前記新たな課題を解決するために、本発明の光記録媒体のフォーマッタ装置は、螺旋状にトラッキングするための基準となる凹凸部を設けた第１基準層と前記第１基準層と逆の方向に螺旋状にトラッキングするための基準となる凹凸部を設けた第２基準層とからなる基準層を持ち、前記基準層に隣接して平坦な記録層を積層した光記録媒体をフォーマットする光記録媒体のフォーマッタ装置において、第１のレーザ光源と前記第１のレーザ光源より短波長の第２のレーザ光源と、前記第１と第２のレーザ光源からの第１と第２のレーザビームを同一の対物レンズを介して前記光記録媒体に光ビームを照射する光学ピックアップと、前記第１のレーザビームを前記基準層の凹凸部に照射して前記光記録媒体のトラッキングを行うための第１のレーザビーム制御部と、前記第１のレーザビームがオントラックしているときに前記第２のレーザビームを目的の記録層に照射してフォーカス制御を行うための第２のレーザビーム制御部と、前記第２のレーザビームに記録すべきトラッキングサーボ情報を与えるためのフォーマット制御部と、を有することを特徴とする。
【発明の効果】
【０００８】
本発明の光記録媒体のフォーマッタ装置によれば、トラッキング溝のない平坦な記録層を積み重ねた光記録媒体の各記録層にトラッキング用サーボ情報を正確にフォーマットできる。
【図面の簡単な説明】
【０００９】
【図１】本発明における光記録媒体の構造を示す斜視図
【図２】（ａ）は、本発明における光記録媒体の構造詳細を示す断面斜視図、（ｂ）は、図２（ａ）におけるＡ部拡大断面図、（ｃ）は、平坦な記録層にフォーマットする際に記録されるサーボマークの概念図
【図３】（ａ）は、本発明のリファレンス層Ａの構造を示す斜視図、（ｂ）は、図２（ｂ）における内周のリードイン領域とその外周側にある凹凸形状のトラッキング溝領域の構造を示す図、（ｃ）は、図３（ｂ）における溝切換部Ａがランド部とグルーブ部から半トラックずれた位置に配置されていること を示す図
【図４】本発明における予め記録されたリードイン領域に格納するフォーマット情報の論理構造図
【図５】（ａ）は、本発明における光記録媒体の第１の記録層群の積層方向とトラック方向を示す図、（ｂ）は、本実施の形態１における光記録媒体の第２の記録層群の積層方向とトラック方向を示す図
【図６】本発明のフォーマッタ装置の構成を示す図
【図７】本発明のフォーマット制御部の詳細を示す図
【図８】本発明のフォーマット制御部のサンプルサーボ情報作成の主要部を示す図
【図９】本発明のクロック生成におけるゾーンの概念を示す図
【図１０】本発明におけるＡＯＭ変調によるサーボマークパターンの詳細を示す図
【図１１】フォーマット時の溝切換部近傍での光ビームの動作を示した図
【図１２】（ａ）は、本発明の光記録媒体の完成前の第１の状態の断面図、（ｂ）は、本発明の光記録媒体の完成前の第２の状態の断面図 を示す図
【図１３】本発明のフォーマット済み光記録媒体を記録再生する方法を示す図
【図１４】（ａ）は、従来の多層型光記録媒体の断面を示す図、（ｂ）は、図１４（ａ）における記録層の詳細な構成 を示す図
【発明を実施するための形態】
【００１０】
以下に、本発明の光記録媒体のフォーマッタ装置の実施の形態を図面とともに詳細に説明する。
【００１１】
（実施の形態１）
図１は本発明における光記録媒体の構造を示す斜視図である。図１に示すように、本発明がフォーマットする光記録媒体１００は、光源側からみて、光透過層と傷から記録層を保護するためのカバー層１０１、第１の記録層群１０２（以下ＭＬ層群と称す）、第１及び第２の記録層群のうち、リファレンス層から数えて奇数番目の層群をフォーマットするためのリファレンス層Ａ１０３ａ、偶数番目の層群をフォーマットするためのリファレンス層Ｂ１０３ｂ、第２の記録層群１０４（以下ＳＬ層群と称す）、ポリカーボネート基板１０５、レーベル面１０６、の順に積層されている。
【００１２】
ＭＬ群１０２は、光源に近い側、すなわち光透過厚が薄くなる側に積層している。
カバー層１０１の表面に塵や埃が付着した場合には、記録層に透過する光ビームの量が減少し、不利となるが、ディスクの傾きにより発生するコマ収差は小さくなり、光量の効率は良い。このため、ディスクをケースやカートリッジに入れて、塵や埃の付着を防ぐことができる場合は、ＭＬ層群を多く積層するほうが良い。したがって、表１に示すように、ＭＬ層は１０層分の記録層を積層している。
【００１３】
【表１】
2014241179.tif 000003
【００１４】
ＳＬ群１０４は、ＭＬ層群１０２に比べて、コマ収差が大きくなるので、本実施の形態では表１に示すように、ＳＬ層 群１０４はＭＬ層群１０２より少ない６層分の記録層を積層している。
なお、コマ収差の影響が無視できない場合には、ＭＬ層群１０２に比べてＳＬ層群１０４の密度を落とすような構成をとってもよい。例えばＭＬ層群１０２は１層あたり５０ＧＢ、ＳＬ層群１０４ は１層あたり、２５ＧＢとすることもできる。
ポリカーボネート基板１０５は、既存のブルーレイディスク（以下、ＢＤと称す）と同様にポリカーボネート等の樹脂で成形されており、各層は、表１に示すような隣接層との距離で積層形成される。積層する方法はスパッタリングあるいは真空蒸着法が主に用いられる。
【００１５】
次にリファレンス層１０３について説明する。図２は本発明における光記録媒体の構造詳細を示した断面図とその拡大図、およびサーボマークの概念図である。リファレンス層１０３は、リードイン領域１０７とトラッキング溝領域１０８から構成され、リードイン領域１０７には、記録層にサーボマークを形成するために必要な情報（フォーマット情報）が予め記録されており、トラッキング溝領域１０８には、トラッキングをかけるために凹凸形状の溝が形成されている。そして、リファレンス層Ａ１０３ａは、内周から外周に向けてのスパイラル構造、リファレンス層Ｂ１０３ｂは、外周から内周に向けてのスパイラル構造になっている。
【００１６】
フォーマット情報としては、
（１）第１の記録層群 の層数と各層の線速、球面収差（光透過厚み）情報
（２）第２の記録層群 の層数と各層の線速、球面収差（光透過厚み）情報
（３）リファレンス層の球面収差（光透過厚み）情報
（４）ディスクの種類（ブックタイプなど）とサーボマーク生成のレーザパワー
（５）フォーマットする層のスタート位置（対応リファレンス層トラックアドレス）、
（６）フォーマットする層のストップ位置（対応リファレンス層トラックアドレス）
（７）製造基本情報（製造年月日、製造場所、ロットＮｏ.など）
などがある。
【００１７】
このフォーマット情報は、リファレンス層Ａ１０３ａとＢ１０３ｂで同じものを入れて格納してもよいし、リファレンス層Ａ１０３ａには奇数番目（ＭＬ１、ＭＬ３・・・）の情報と共通な情報、リファレンス層Ｂ１０３ｂには偶数番目（ＭＬ２、ＭＬ４・・・）の情報と共通な情報を格納してもよい。
【００１８】
以上のようにリファレンス層Ａ１０３ａとＢ１０３ｂの構造はトラッキング溝領域１０８のスパイラル方向以外は同じであるので、本実施の形態でのリファレンス層１０３のフォーマット情報の説明は同じものを格納している構成の場合で説明を行う。
【００１９】
図２（ａ）に示す光記録媒体１００の断面のＡの部分を拡大すると図２（ｂ）に示すような構成となっている。図２（ｂ）に示すように、上記フォーマット情報を格納しておくリードイン領域１０７は、リファレンス層Ａ１０３ａおよびＢ１０３ｂの最内周側にある。フォーマット情報はエンボス構造、あるいはウォブルトラック構造により、予めカッティングマシンなどで記録される。リードイン領域１０７より外周側には、トラッキング溝領域１０８があり、凸凹形状のシングルスパイラル構造である。
【００２０】
図２（ｃ）は、ＭＬ層群１０２やＳＬ層群１０４の凹凸のない平坦な記録層にフォーマットする際に記録されるサーボマークの概念図である。図２（ｃ）に示すように、サーボマークは３つで一組のサンプルサーボ情報となっている。後述する方法によって、１番目のマークはトラックセンターに、２番目のマークはトラックセンターから１／８トラック内周側にシフト、３番目のマークはトラックセンターから１／８トラック外周にシフトさせて記録される。
【００２１】
各サーボマークの間隔は、１０μｓ〜１００μｓ程度になるように配置する。また、サンプルサーボ情報の間隔は、１ｍｓ〜１０ｍｓ程度になるように配置する。これによって、デジタルサーボの応答帯域を、ＤＶＤやＢＤで用いられるサーボ帯域と同等以上の５０ｋＨｚ〜５００ｋＨｚまで確保することができる。
【００２２】
サーボマークの記録方法は、ＢＤで用いられている相変化記録と同様に青色レーザパルスを変調して照射することで、記録膜をアモルファスからクリスタルへ相変化させて濃淡マークの記録を行うが、原理はＢＤやＤＶＤ−ＲＡＭの記録原理と同様であるので、詳細な説明は省略する。
【００２３】
図３（ａ）は、リファレンス層Ａ１０３ａの構造を示す拡大斜視図で、図３（ｂ）は、図２（ｂ）の内周のリードイン領域１０７とその外周側にある凹凸形状のトラッキング溝領域１０８の構造を詳細に示したものである。
【００２４】
図３（ａ）に示すように、リファレンス層Ａ１０３ａは、ディスクの内周にあるリードイン領域とその外周側にトラッキング溝３０１をもつトラッキング溝領域から構成されている。
【００２５】
図３（ｂ）に示すようにトラッキング溝領域１０８は、ディスク１周毎にランド部３０３、グルーブ部３０４、ランド部・・・・・といったように進行する凸凹形状のスパイラル構造になっている。
このランド部３０３とグルーブ部３０４の境界には、内周から外周まで同じ位相位置となる溝切換部Ａ３０２がある。この溝切換部Ａ３０２は、トラッキング極性切換のタイミング検出部とリファレンス層のトラックアドレス部も兼ねている。溝切換部Ａ３０２のプッシュプル信号の変化を検出して、トラッキングの極性を切り換え、なめらかに光ビームをスパイラルに進行させることができる。図３（ｃ）はこの溝切換部Ａ３０２を拡大した図である。図３（ｃ）に示すようにトラックアドレスはエンボスピットによって、ランド部３０３とグルーブ部３０４から半トラックずれた中間位置に配置されている。したがってプッシュプル信号の変化を検出することで、溝切換部Ａ３０２に突入したことを判断でき、かつトラックアドレスを検出する
ことができる。
【００２６】
光ビームがこの溝切換部Ａ３０２を通過する間はトラッキング制御をホールドし、極性を切り換えて通過後、ホールドを解除することでエンボスピットの
エッジを横切ることができる。その通過時のエンボスピットによる光量変化によってトラックアドレスを検出できる。
【００２７】
検出されたトラックアドレスは、内周のリードイン領域に予め記録されているフォーマット情報より得られたスタートトラックアドレスに光ビームをシークしたり、ストップトラックアドレスでリトレースしたりする際に用いられる。すなわちディスク１周毎に配置されたトラックアドレスを検出することで、現在のピック位置を確認したり、目標トラックアドレスに向けジャンプするトラック本数を決定したりすることができる。
【００２８】
以上のように、リファレンス層では、赤色光ビームで安定にトラッキングをかけながら、かつ、青色光ビームでサーボマークを生成していくときのトラック位置の検出が可能となる。また、ＭＬ層及びＳＬ層のフォーマットの開始、終了制御を行うことができる。
【００２９】
なおリファレンス層Ｂ１０３ｂもスパイラル方向が逆方向となっている以外は、同様の構造になっており、トラッキングの極性を切換え、トラックアドレスの検出を行うための溝切換部Ｂ３０５を備えている。ただし、溝切換部Ａ３０２と溝切換部Ｂ３０５はタンジェンシャル方向に位置をずらして積層するのが望ましい。これは、リファレンス層Ａ１０３ａとＢ１０３ｂの層間のクロストークにより信号品質が劣化し、トラックアドレス検出を誤るというリスクを低減するためである。
【００３０】
図４は予め記録されたリードイン領域に格納するフォーマット情報の論理構造を示したものである。
【００３１】
図４に示すとおり、予めディスク作製時にわかる情報で、かつサーボマークを形成するために必要な情報をテーブルにして、図３（ｂ）に示すようなエンボスピットで記録する。
【００３２】
フォーマット情報テーブルは６４バイト単位で６個のブロックで構成されている。各ブロックの先頭４バイトには、そのブロックが何を格納しているかがわかる情報がブロックＮｏ.として割り当てられている。
【００３３】
第１ブロックには、そのディスクの製造年月日、製造場所、ロットＮｏ．が３バイト分入っている。残りバイト分は、拡張バイトである。第２ブロックには、リファレンス層の球面収差（光透過厚み）情報と、サーボマーク生成のための青色光ビームのレーザパワーの設定値が格納されている。第３ブロックには、ＭＬ層の層数と各層の線速、球面収差情報を格納する。将来的に層数増加される可能性もあるため、１層あたり４バイトで１５層分まで記録できるようになっている。（本実施の形態１では、１０層分のデータが格納される）第４、５ブロックには、ＳＬ層の層数と各層の線速、球面収差情報を格納する。本実施の形態１では、コマ収差マージンの観点からＳＬ層はＭＬ層より少ない６層の構成ではあるが、ＳＬ層は物理的にはもっと層数を増加することができる。また将来的にさらに積層される可能性もあるため、ＭＬ層より多い３０層分まで記録できるようになっている。第６ブロックには、フォーマットのスタート位置（例えば１０００ｈ番地）とストップ位置（例えば１Ａ０００ｈ番地）が、リファレンス層の物理トラックアドレスとして格納されている。
【００３４】
この第１〜第６ブロックテーブルが、プリピットされたエンボスで内周のリードイン領域に３周分以上繰り返して形成して、読み取りの際の位置決めをし易くしている。なお、この情報は位相あるいは周波数変調して、トラックをウォブリングさせて記録格納してもよい。
【００３５】
フォーマット情報は、フォーマットする前に赤色光レーザでリードイン領域を読み取って必要な情報を獲得する。これにより、所定の位置からサーボマークの形成を開始し、所定の位置でサーボマークの形成を終了することが可能となる。また各層毎に球面収差補正をすることで、赤色光ビームや青色光ビームのフォーカス制御を行うことができ、レーザパワー設定をすることで、青色光ビームにより各記録層への正確なマーク形成が可能となる。
【００３６】
次に、ＭＬ層、ＳＬ層でのサーボマークの記録方法、手順について説明する。図５は、リファレンス層Ａ１０３ａおよびＢ１０３ｂのスパイラル方向と、ＭＬ層（図５（ａ））、ＳＬ層（図５（ｂ））の各層のスパイラル方向の関係を示したものである。上述したようにリファレンス層Ａ１０３ａおよびＢ１０３ｂは、ランド／グルーブによるシングルスパイラル構造であるため、赤色光ビームのフォーカスがリファレンス層Ａ１０３ａに合っている場合には、モータを回転させてトラッキングをかけると、赤色光ビームは内周から外周に向けて進行する。また、赤色光ビームのフォーカスがリファレンス層Ｂ１０３ｂに合っている場合には、モータを回転させてトラッキングをかけると、赤色光ビームは外周から内周に向けて進行する。
【００３７】
ここで、ＭＬ層およびＳＬ層、共に各層のスパイラル方向は隣接交互となる逆スパイラルでないとシームレスな再生、記録ができない。したがって、図５（ａ）に示すようにＭＬ層でのフォーマットは、ＭＬ１は内周から外周への順スパイラル、ＭＬ２は外周から内周への逆スパイラル、といったように、スパイラル方向を隣接交互となるようにフォーマットを行わなければならない。同様にＳＬ層でのフォーマットは図５（ｂ）に示すように、ＳＬ１は内周から外周への順スパイラル、ＳＬ１は外周から内周への逆スパイラルとなるようにフォーマットを行わなければならない。
【００３８】
このフォーマットの手順を詳細に説明する。
【００３９】
最初に、リファレンス層Ａ１０３ａで赤色光ビームのフォーカスを引き込み、トラッキングをかけた後、ジャンピング動作やステッピングモータなどで構成されたトラバース機構によって青色光ビームをシークして、最内周のフォーマットをスタートするトラックに移動する。このとき、ディスク１回転に１個あるトラックアドレスを確認すれば、最内周のスタートアドレスに到達したことがわかる。
【００４０】
次にリファレンス層Ａ１０３ａの最内周のスタートアドレスで青色光ビームのフォーカスを引き込み、その後１層分のフォーカスジャンプを行うことによってリファレンス層Ａ１０３ａに隣接するＭＬ１層に青色光ビームのフォーカスを引き込む。
【００４１】
このとき青色光ビームの位置は赤色光ビームと同じ半径位置、すなわち同光軸上になっており、赤色光ビームの半径位置を制御することで、青色光ビームの記録層でのフォーマットスタート位置やストップ位置を制御することができる。
【００４２】
次に、このフォーマットスタート位置から赤色光ビームでトラッキングをかけて、溝切換部Ａ３０２を検出する毎にトラッキングの極性を変えていけば、赤色光ビームは内周から外周に向けて進行する。これに伴い、同光軸上にある青色光ビームも内周から外周に進行していく。このとき、青色光ビームに所定のパルス変調をかけると、平坦な記録層であるＭＬ１層の相変化膜がアモルファスからクリスタルに変化して、サーボマークを形成することができる。
【００４３】
サーボマークの形成を１個目はトラックセンターで行い、２個目は１／８トラック内周側にシフトさせて行い、３個目は１／８トラック外周側にシフトさせて行う。これによりサーボマーク３個１組のサンプルサーボ情報を形成することができ、この処理を最外周まで連続していくと、図２（ｃ）のようなサーボマークをディスク全面に形成することができる。
【００４４】
以上のような処理手順でＭＬ１層のフォーマットを開始し、最外周のストップアドレスを検出することでＭＬ１層のフォーマット処理を完了する。次の層のフォーマットを開始する処理の間はこのストップアドレスのトラック付近でリトレースを行う。
【００４５】
ところで、２層あるいは多層ディスクの条件として、隣接層同士は逆スパイラルでないとシームレスの記録や再生が難しい。記録型のＢＤ、あるいはＤＶＤも全て逆スパイラルのフォーマットになっているが、その理由を以下に説明する。
【００４６】
１層目の記録を内周から外周まで行った後、継続して２層目の記録をする場合において、この２層目が順スパイラルであると、光ビームを最外周から最内周までシークして戻す必要がある。このときデータはＣＬＶ記録（ＺＣＬＶ記録）であるので、ディスクの回転を外周の回転数から内周の回転数まで、層間を移動するたびに毎回約２.５倍上げなければならず、層の切換に非常に時間がかかる。この層の切換にかかる時間が長いと、シームレスの記録や再生が非常に困難となる。
【００４７】
以上のことから、層の切換処理を高速に行い、シームレスの記録や再生を可能にするために多層ディスクにおいては、隣接層同士は交互に逆スパイラルにする必要がある。
次にＭＬ２層のフォーマット処理手順について説明する。ＭＬ１層のフォーマットが完了したときには、赤色光ビームはリファレンス層Ａ１０３ａにフォーカスが合っているため、リファレンス層Ｂ１０３ｂにフォーカスジャンプで移動して、球面収差の補正を行い、トラッキング制御をかける。その後、ＭＬ２層のスタートアドレスにシークを行い、リトレースジャンピング等で待機する。なおＭＬ２層の最外周のスタートアドレスとＭＬ１層の最外周のストップアドレスは同じアドレスに設定すると、構成や処理が簡単になるので好ましい。
【００４８】
次に青色光ビームをＭＬ１層からＭＬ２層にフォーカスジャンプで移動する。既に赤色光ビームはＭＬ２層をフォーマットするスタートアドレスに位置している。またリファレンス層Ａ１０３ａとリファレンス層Ｂ１０３ｂとの厚み差は５μｍ程度であるので球面収差の補正も僅かである。よって青色光ビームがＭＬ２層に移動した後は、極めて短時間でフォーマット動作を開始できる。
【００４９】
次にリファレンス層Ｂ１０３ｂのフォーマットスタート位置から赤色光ビームでトラッキングをかけて、溝切換部Ｂ３０５を検出する毎にトラッキングの極性を変えていけば、リファレンス層Ｂ１０３ｂはリファレンス層Ａ１０３ａと逆スパイラルになっているので、赤色光ビームは外周から内周に向けて進行する。これに伴い、同光軸上にある青色光ビームも外周から内周に進行していく。このとき、ＭＬ１層と同様の変調方式と処理を行うことにより、３個１組のサンプルサーボ情報をディスク全面に形成することができる。
【００５０】
ＭＬ２層の最内周付近のストップアドレスに到達したら、ＭＬ２層のフォーマット処理が完了する。その後、赤色光ビームをリファレンス層Ｂ１０３ｂからリファレンス層Ａ１０３ａにフォーカスジャンプで再度移動して、球面収差の補正を行い、トラッキング制御をかける。その後、ＭＬ３層のスタートアドレスにシークを行い、リトレースジャンピング等で待機する。
【００５１】
基本的にＭＬ３層以降のスタート、ストップアドレスはＭＬ１層のスタート、ストップアドレスと同じであるが、例えば特定のＭＬＸ層の最外周に大きな欠陥があることが予めわかっている場合などには、スタートあるいはストップアドレスを変えることで、その欠陥のところはフォーマットしないように設定することができる。
【００５２】
次に青色光ビームを次の隣接のＭＬ３層にフォーカスジャンプで移動する。既に赤色光ビームはＭＬ３層のスタートアドレスに位置している。よって青色光ビームがＭＬ３層に移動した後は、極めて短時間でフォーマット動作を開始できる。
【００５３】
ＭＬ３層のスタート位置から１周毎に溝切換部Ａ３０２のトラックアドレスを確認しながら、サーボマークの形成処理を行っていく。この時、リファレンス層Ａ１０３ａは内周から外周への順スパイラルになっているので、その進行方向に沿って、上述した処理、変調方式で、サーボマークの形成を行っていく。最外周でＭＬ３層のストップアドレスを検出したら、同様にＭＬ３層のフォーマット処理を完了して、リファレンス層Ｂ１０３ｂおよび次のＭＬ４層への移動を行う。
【００５４】
この処理を層の数だけ繰り返すことで、本発明の多層光記録媒体のフォーマットを実現することできる。
【００５５】
次に上記サーボマークの形成を実現するフォーマッタ装置の構成について図６に示す本発明のフォーマッタ装置の構成図を用いて説明する。
赤色レーザ光源６１６より発光されたレーザ光は、偏光ビームスプリッタ６１５を透過し、コリメートレンズ６１３で略平行光ビームとされ、４分の１波長板６１２、波長分離ビームスプリッタ６０７で反射して対物レンズ６２０に入射する。対物レンズ６２０は、赤色レーザ光及び青色レーザ光での球面収差がリファレンス層１０３で最小となるように設計されている。本実施例では、赤色レーザ光による対物レンズ６２０のＮＡは０．６０に設定した。ＮＡを制限する為にアパーチャ（図示せず）が必要であり、例えば４分の１波長板６１２の上に形成することが出来る。また、対物レンズ６２０には、トラッキング方向及びフォーカシング方向のアクチュエータとして、各々トラッキングコイル６１９及びフォーカシングコイル６０８とが設けられている。フォーカシングコイル６０８には、赤色レーザ光源６１６を出射した光ビームがリファレンス層１０３の表面で焦点を結ぶように、予め制御されている。
【００５６】
さて、対物レンズ６２０を出射した赤色光ビームは、光記録媒体１００のリファレンス層１０３に入射し（往路）、その表面で反射する。この反射された光ビームの光路は往路を逆に辿り、４分の１波長板６１２で往路の偏波面と直交する偏波面となり、偏光ビームスプリッタ６１５で反射して検出レンズ６１７を通過して、光検出器６１８に入射する。
【００５７】
この赤色光ビームのフォーカスは、光検出器６１８からのフォーカス信号Ｆｏを基にフォーカシングコイル６１４によってコリメートレンズ６１３を制御する。光検出器６１８ではリファレンス層１０３に形成されたトラッキング溝領域内の基準トラックからの回折によるトラッキング信号Ｔｒを基にトラッキングコイル６１９を制御する。なお、トラッキング信号によるトラッキング制御は、基準トラックの形状に応じて、プッシュプルトラッキング方式や位相方式など、公知のトラッキング方式を用いれば良い。
【００５８】
以上のように赤色レーザ光にてトラッキング制御がなされている状態で、青色レーザ光にて記録層にサーボマークを記録する。
【００５９】
青色レーザ光源６０１を出射した青色光ビームはリレーレンズ６０２で集光され、ＡＯ変調器（Ａｃｏｕｓｔｏ-Ｏｐｔｉｃ  Ｍｏｄｕｌａｔｏｒ）６０３、偏光ビームスプリッタ６０４を透過し、コリメートレンズ６０５で略平行光ビームとなる。この平行光ビームは、さらに、４分の１波長板６０６、波長分離ビームスプリッタ６０７を透過して、対物レンズ６２０に入射する。
【００６０】
このとき、対物レンズ６２０から出射した光ビームが、記録するための記録層に入射できるようにフォーカシングコイル６０８を制御する（往路）。また、対物レンズ６２０の青色光での球面収差は、リファレンス層１０３近傍で最小となるように設計されているので、目的の記録層に合わせて青色レーザ光での球面収差の補正を行う必要がある。そのためには、コリメートレンズ６０５にアクチュエータ６１１を設け、ステッピングモータ等を用いて調整すれば良い。
【００６１】
次に、ＭＬ層群１０２やＳＬ層群１０４の記録層で反射された青色レーザ光は光路を逆に辿り、４分の１波長板６０６にて往路の偏波面と直交する偏波面となり、偏光ビームスプリッタ６０４で反射して、検出レンズ６０９を通過して光検出器６１０に入射する。検出レンズ６０９と光検出器６１０の組み合わせにより、対物レンズ６２０と光記録媒体１００のＭＬ層群１０２やＳＬ層群１０４の記録層とのフォーカス誤差信号の検出を行うことができる。フォーカス誤差信号の検出には、非点収差法等、公知の方法で検出できるので詳細な記述は省略する。このフォーカス誤差信号は、青色光学系フォーカス制御部６２６に入力され、さらにフォーカシングコイル６０８を制御し、青色レーザ光でフォーカシングが行われる。フォーカス制御が完了して始めて、サーボマークの書き込みが出来る。このフォーカシング制御は、赤色レーザ光によるフォーカシング制御に先立って行ってもよい。
【００６２】
このように青色レーザ光で対物レンズ６２０のフォーカシングを行うと、赤色レーザ光ではフォーカス誤差が生じる。これは、サーボマークを記録する記録層とリファレンス層１０３との間の距離が記録層毎に異なるので、対物レンズ６２０のフォーカス深度内に全ての記録層が収まらないからである。そのため、サーボマークを記録する記録層に従って、フォーカス誤差の補正が必要になる。そのため、コリメートレンズ６１３にフォーカス補正コイル６１４を設け、光検出器６１８からフォーカス誤差信号を元にフォーカス補正コイル６１４を制御し、コリメートレンズ６１３を光軸方向に移動させ、フォーカス誤差の補正を行う。
【００６３】
次に、前述したこのフォーマッタ装置により光記録媒体１００のフォーマットを行う、すなわち、赤色レーザ光でリファレンス層１０３の基準トラックに追従しながら、青色レーザ光で記録層上にサンプルサーボ用のサーボマークを形成していくフォーマット動作について述べる。
【００６４】
サーボマークは、リファレンス層１０３でトラッキングがかかった基準トラック、すなわちスパイラル状のランド及びグルーブトラックに対応した各記録層の位置に書き込まれていく。ここで、ランド／グルーブトラックに対応した記録層のトラックを仮想トラックと呼ぶが、サーボマークは、この仮想トラックの中心、及びこの中心から仮想トラックと垂直な方向に内周側と外周側にオフセットさせた位置に記録する必要がある。そのためにＡＯ変調器６０３が用いられる。
【００６５】
青色レーザ光源６０１を出射した青色レーザ光はリレーレンズ６０２で集光され、ＡＯ変調器６０３に入射される。この変調に応じて、青色レーザ光は回折して偏光ビームスプリッタ６０４を介してコリメートレンズ６０５により平行光ビームとなる。ここで、サーボマークを記録するときに、ＡＯ変調器に信号を与えると、その変調周波数に応じてＡＯの回折角が僅かに変化する。この変化する回折角θ、対物レンズの焦点距離ｆｏとすると、記録層上のサーボマークの変位δは、仮想トラックの中心からδ＝θ・ｆｏとなる。  仮にＢＤディスクと同じトラックピッチとすると、この変位δが１／８トラック、すなわち０．０８μｍ程度となるように変調周波数を設定すれば良い。
詳細は後述する。
【００６６】
次にフォーマット制御部６２３についてその構成と仕組みを説明する。図７はフォーマット制御部６２３の構成の詳細を示したブロック図である。
【００６７】
赤色光ビームで読み取られたフォーマット情報は、２値化回路６２２でデジタルデータに変換され、フォーマット制御部６２３中のディスク情報解読器７０５に入力される。このディスク情報解読器７０５において、図４に示すフォーマット情報が格納された第１ブロックから第６ブロックを順次解読して、ワークメモリ（不図示）に一旦格納され、必要な情報を選択して出力される。
【００６８】
層管理部７０６には、フォーマット情報解読器で読み取られたフォーマット情報と、赤色光学系フォーカス／トラッキング制御部６２１から得られるフォーマット開始時から実施したフォーカスジャンプの回数が入力される。これらにより、これからサーボマークを形成する層がＭＬ層かＳＬ層か、また現在何番目の層にいるかといった情報がサーボ情報作成器７０２に入力される。サーボ情報作成器７０２ではこの情報により、各記録層に記録するサーボマークの記録パワーを変更する。また、球面収差情報作成器７０７には上記の情報に加え、ＭＬ層とＳＬ層の球面収差値が入力される。これらにより、球面収差情報作成器７０７では、フォーカスジャンプする際に必要な球面収差情報を作成し、球面収差補正部６２４で各記録層の最適な球面収差補正値を算出して、アクチュエータ６１１が駆動される。
【００６９】
また、トラックアドレス情報と各記録層の層間距離は、フォーカスジャンプ情報作成器７０８へ入力されて、青色光学系フォーカス制御部６２６へ入力設定される。その値に応じて、ある記録層のフォーマットが完了して、次の記録層に移動する際にフォーカシングコイル６０８へ規定のパルス幅や波高値のパルス信号が印加される。
【００７０】
終始点検出器７０９には、フォーマット情報に格納された第６ブロックのＳｔａｒｔ／Ｓｔｏｐ情報とトラックアドレス情報が入力される。Ｌ１、Ｌ３・・・のリファレンス層１０３から数えて奇数番目の順スパイラル層と、Ｌ２、Ｌ４・・・のリファレンス層１０３から数えて偶数番目の逆スパイラル層とで半径位置とＳｔａｒｔ／Ｓｔｏｐ情報が逆になっている。すなわち、ＭＬ１層、ＳＬ１層では内周のアドレスがＳｔａｒｔ情報で、外周のアドレスがＳｔｏｐ情報となるのに対し、ＭＬ２層、ＳＬ２層では外周のアドレスがＳｔａｒｔ情報で、内周のアドレスがＳｔｏｐ情報となる。このＳｔａｒｔ／Ｓｔｏｐ情報とトラックアドレス情報により、フォーマットの終始点を検出することが可能となる。
【００７１】
フォーマット開始時は、まず赤色光学系フォーカス／トラッキング制御部６２１により、リファレンス層Ａ１０３ａで赤色光ビームのフォーカスを引き込み、トラッキングをかけたあと、トラバース駆動部（不図示）へシーク命令を発信させ、赤色光ビームをフォーマット開始位置へ移動させる。終始点検出器７０９に設定されたＳｔａｒｔ情報とディスク１回転ごとに１個あるトラックアドレスが一致したときにトラバースの駆動を終了する。赤色光ビームの移動が完了すると、青色光学系フォーカス制御部６２６により、リファレンス層Ａ１０３ａに青色光ビームのフォーカスを引き込む。その後、フォーカスジャンプし、ＭＬ１層に青色光ビームを移動させ、第３ブロックのＭＬ層情報より球面収差の補正を行い、サーボマークの記録を始める。
【００７２】
フォーマット終了時は、赤色光ビームで読み取った溝切換部Ａ３０２のトラックアドレスが、始終点検出器７０９に設定されたＳｔｏｐ情報と合致したかどうかで判断し、合致したときには、赤色光学系フォーカス／トラッキング制御部６２１にスチルジャンプ命令を発信して、光ビームの進行を停止する。その後、赤色光学系フォーカス／トラッキング制御部６２１にフォーカスジャンプ命令を発信して、赤色光ビームの球面収差をリファレンス層Ｂ１０３ｂに合致するように補正した後、光検出器６１８からのフォーカス信号Ｆｏを基にフォーカシングコイル６１４によってコリメートレンズ６１３を駆動して、赤色光ビームをリファレンス層Ａ１０３ａからリファレンス層Ｂ１０３ｂに移動する。
【００７３】
サーボマーク形成間隔は、既存の光記録媒体の記録方式に対応し、ＣＬＶ記録、ＣＡＶ記録、あるいは、ＺＣＬＶ記録の何れでも本発明は適用できるが、ＣＬＶ記録は内周から外周に向けてリニアにクロックを掃引する必要があるので、比較的高価な周波数掃引器が必要である。
【００７４】
またＣＡＶ記録は、外周にいくほど実際のデータ記録のときのレーザパルスの立ち上がり速度が高速になるので、その品質が低下する可能性があるので現実的ではない。よって記録方式はＺＣＬＶ記録が好ましい。このＺＣＬＶ記録でのサーボマークの形成方法について図８、図９および図１０を用いて説明する。
【００７５】
図８はサンプルサーボ情報作成の主要部の構成を示した図である。ディスク１周毎にある溝切換部Ａ３０２およびＢ３０５のトラックアドレスを赤色光ビームによって読み取った信号は２値化回路６２２でデジタルデータに変換され、アドレス回路８０２に入力される。アドレス回路８０２によって検出されるトラックアドレス情報は、原発振器８０１からの原クロックとともにゾーンコントローラ８０３に入力され、トラックアドレスに対応した記録クロックが生成される。
【００７６】
図９は、記録クロック生成におけるゾーンの概念を示した図である。図９に示すようにディスク全面を半径位置に応じて仮想的にゾーン１〜ソーン６のように６つのゾーンにわけ、ゾーン毎に段階的に原クロックを用いてサーボマークを記録するための記録クロックを生成する。１つのゾーン内ではその設定された記録クロックによってＣＬＶでサーボマークを記録する。
【００７７】
なお、図９では、第１の記録層群１０２の場合を図示しているが、第２の記録層群１０４の場合も同様に半径位置に応じて仮想的にゾーンをわける。ソーンの分け方は第１の記録層群と同じ半径位置で分けても良いし、異なる半径位置でゾーンを分けたり、ゾーンの数を変更しても良い。
【００７８】
アドレス回路によって検出されるトラックアドレス情報が、あらかじめ設定されているゾーンの最終アドレスと合致した場合は、例えばシンセサイザなどを用いて次のゾーンに設定されている周波数に記録クロックを切り替える。最終ゾーン（ここではゾーン６）の最終アドレス、すなわちフォーマット情報に格納されているＳｔｏｐアドレスと合致した場合は、その記録層でのフォーマットが終了したこととなるので、赤色光ビームの進行を停止し、青色光ビームをフォーカスジャンプさせる。
【００７９】
タイミングクロック作成器７０１はアドレス回路８０２によって検出されるトラックアドレス情報と、ゾーンコントローラ８０３で生成された記録クロックを用いて、青色光ビームでサーボマークを記録するためのタイミングクロックを作成する。なお、コマ収差の影響が無視できないなどの理由により、ＳＬ層の記録密度がＭＬ層の記録密度と異なっている場合に、ＭＬ層をフォーマットする場合とＳＬ層をフォーマットする場合とで、タイミングクロックの周波数を変更するのは良い実施例である。
【００８０】
タイミングクロック作成器で生成されたタイミングクロックはサーボ情報作成器７０２に入力される。サーボ情報作成器７０２では、サーボマークを形成するためのレーザ出力のＯＮ／ＯＦＦを切り替えるタイミングと、層管理部７０６から得られる層情報より、最適な記録パワーを設定する。
【００８１】
サーボ情報作成器の出力は青色レーザ変調器７０３へ入力され、青色レーザ駆動部６２７により青色レーザの駆動電流を制御することで、サーボマークの記録を行うことができる。
【００８２】
次にサーボマークパターンの形成方法について図１０を用いて説明する。図１０はＡＯＭ変調によるサーボマークパターンの詳細を示した図である。図１０のように、ＡＯＭ増幅器６２５の駆動信号は、タイミングクロック作成器７０１のクロック出力に同期させて出力する。このクロック出力に同期させて、ＡＯＭ変調器７０４に０、正、負 の極性の電圧を設定すると、設定された電圧に応じて所定の周波数変調をかけた駆動信号を生成する。ＡＯＭ変調器７０４に正の極性の電圧を設定した場合は、光スポットはトラックセンターから１／８トラック内周に移動し、サーボマークを形成する。ＡＯＭ変調器７０４に負の極性の電圧を設定した場合は、光スポットはトラックセンターから１／８トラック外周に移動し、サーボマークを形成する。以上の方法により、３個１組のサンプルサーボ情報を作成することが可能となる。
【００８３】
次に、リファレンス層Ａ１０３ａのランド・グルーブを切り換えながら、トラックアドレスを確認して、スパイラル進行をさせる方法について説明する。図１１は、溝切換部Ａ３０２近傍での光ビームの動作を示す概念図である。
【００８４】
溝切換部Ａ３０２は、その位置を境に、溝の極性がランドからグルーブ（あるいはグルーブからランド）に切り変わり、さらにその境界がエンボスピットでトラックアドレスがプリフォーマットされている。
【００８５】
したがってこの溝境界でトラッキング制御をホールドして、その間に極性を切り換えることで、スパイラルの進行に沿って、内周のスタートアドレスから、外周のストップアドレスまで光ビームを進行することができる。
【００８６】
具体的には、光ビームはランドトラックＬ１に沿って進行し、溝切換部Ａ３０２に突入するとトラッキングサーボをホールドする。ホールドすると光ビームはそのままランドトラックに沿って直進する。溝切換部Ａ３０２を通過すると、次にグルーブトラックＧ２に突入するので、トラッキングサーボをホールドしている溝切換部Ａ３０２通過中にトラッキング極性をランドからグルーブに切り換える。Ｇ２に突入して、トラッキングサーボのホールドを解除すると、光ビームはグルーブトラックＧ２にトラッキング追従する。グルーブトラックＧ２に沿って進行した光ビームは、ディスクを一周すると、再度溝切換部Ａ３０２に突入するので、同様にトラッキングサーボをホールドする。溝切換部Ａ３０２を通過すると、次にランドトラックＬ２に突入するので、溝切換部Ａ３０２通過時にトラッキング極性をグルーブからランドに切り換える。この処理を繰り返すことで、最外周に向けて光ビームを進行させることが可能となり、光ディスク全面にサーボマークを形成して、フォーマット動作を実現することができる。なお、リファレンス層Ｂ１０３ｂにおいて、溝切換部Ｂ３０５近傍を光ビームが進行する場合は、上述した方法で制御を行うが、スパイラルが逆方向であるため、光ビームは外周から内周へ進行する。
【００８７】
また本発明で用いるリファレンス層が２層あるディスクの作成方法について、簡単に説明する。図１２は、本発明の多層ディスクの完成前の状態の断面図である。図１２（ａ）に示すように、ポリカーボネート基板１０５にＳＬ層を積層し、その上に、凹凸構造のリファレンス層Ｂ１０３ｂとなる層を積み重ねる。この状態でリファレンス層Ｂ１０３ｂに凹凸のトラッキング溝や内周のフォーマット情報のエンボスピットを形成する。
【００８８】
ＭＬ層は、ポリカーボネート基板１０５と同じ樹脂材料で形成されたダミー基板上に、ＳＬ層側のポリカーボネート基板１０５に付ける反射膜の代わりに所定の温湿度条件で接着性が低くなる接着層（不図示）介して積層され、その上に凹凸構造のリファレンス層Ａ１０３ａとなる層を積み重ねる。この状態でリファレンス層Ａ１０３ａに凹凸のトラッキング溝や内周のフォーマット情報のエンボスピットを形成する。なお、この方法はＤＶＤやＢＤで広く用いられ、かつ、リファレンス層１０３の構造はＤＶＤの構造に近いので、既存のカッティングマシンでのレーザカッティングで容易に形成できる。
【００８９】
リファレンス層Ａ１０３ａおよびＢ１０３ｂのトラック溝、エンボスピットの形成が完了したら、図１２（ｂ）に示すようにＭＬ層側とＳＬ層側をＵＶ接着等で貼り合わせる。この接着材の厚みがばらついても、リファレンス層１０３は赤色光学系でトラッキングをかけるのみであるので、若干の球面収差の補正で十分対応可能である。ＵＶ接着後、所定の温度条件を加えて、ＭＬ層側のダミー基板を剥がし、その上にＢＤ等で用いているようなハードコートをスピンコート等の工法で形成すればよい。以上のようにして、２つのリファレンス層をもった多層ディスクの作成は実現できる。
【００９０】
特にＢＤで既に使用している設備や工法を流用して、順スパイラルと逆スパイラルの２つのリファレンス層をもった多層光記録媒体を作成することができる。
【００９１】
ところで、多層光記録媒体のフォーカスジャンプにおいて、移動する層が増えれば増えるほど、球面収差の補正切換に時間がかかる。そのため目的層の球面収差を設定してから、フォーカスジャンプを行い、目的層への移動を開始する。このようにすると、通過していく途中の層では球面収差がずれているので、変形したＦＥ信号が得られる。この変形したＦＥ信号によって、目的の層に到達する前に別の層に誤って引き込んでしまったり、何層ジャンプしたかのカウントを誤り、目的の層を行き過ぎてフォーカスが外れてしまったりする。
【００９２】
これに対して本発明のフォーマット装置では、フォーマット完了後に、
リファレンス層Ａ１０３ａとＢ１０３ｂ間を赤色光ビームで１層移動することで、ＭＬ層およびＳＬ層のフォーマット時の青色光ビームの層移動が１層毎の移動となるようにしている。これによってフォーマット時のフォーカスジャンプによる層移動を高速かつ安定に行うことができる。
【００９３】
さらにリファレンス層Ａ１０３ａと、Ｂ１０３ｂが逆スパイラルになっているので、例えばＭＬ１のフォーマットが外周で完了すると、ＭＬ２層のフォーマットは、その外周付近から開始できるので、隣接層に移動したときはトラバースの移動がほとんどなく、速やかに次の層でのフォーマットを開始することができる。
この構成によって、フォーマット装置の信頼性や可動性の点で極めて重要な効果を創出できる。
【００９４】
また特に本発明のフォーマット装置で難しい制御を行わず、フォーマットのための他層への移動を実現することができ、信頼性、可動性の観点でその効果は大きい。なお、本実施例では、２つのリファレンス層を持つ光記録媒体について説明したが、リファレンス層が１つの光記録媒体においても、モータの回転方向を制御することで、同じように記録層のフォーマットができる。
【００９５】
本発明のフォーマット装置でフォーマットしたディスクにデータを記録するときのトラッキングの方法を説明する。なお、記録された本ディスクを再生する場合にも、同じ方法が使用できる。
【００９６】
図１３は各サーボマークを光ビームが横切ったときに得られる信号出力の波形を示したタイミング図である。図に示すように、光ピックアップからの光ビームが記録トラックの中心１３１１上を通る時（オントラック状態）では、サーボ情報を構成するタイミングマーク１３１２は、他のマークに比べ最大の信号レベルで再生される。そのとき、第１のトラッキング用マーク１３１３と第２のトラッキング用マーク１３１４とは、それぞれ同じ大きさの信号レベルであり、かつタイミングマークの信号レベルよりも小さい。光ピックアップからの光ビームが記録トラックの中心１３１１より内周側に移動すると、光ビームは第１のトラッキング用マーク１３１３に近い所を通る、その時は、第１のトラッキング用マーク１３１３の再生信号がタイミングマーク１３１２よりも大きな信号レベルで再生される。また、第２のトラッキング用マークの再生信号のレベルは、タイミングマーク１３１２の信号レベルよりも小となる。一方、光ピックアップからの光ビームが外周側に移動すると、再生信号の大きさは、第２のトラッキング用マーク１３１４＞タイミングマーク１３１２＞第１のトラッキング用マーク１３１３、となる。この関係を利用することで、オントラック状態にするための光ピックアップの移動方向と移動量がわかる。従って、本実施例のサーボマークを利用して公知のサンプルサーボを用いることで、トラッキング制御を行うことが出来る。
【００９７】
記録した本発明のディスクを再生する場合は、公知の位相差トラッキング法でさらに容易に実現可能である。またＢＤ規格、あるいはＢＤＸＬ規格と同等な光透過層厚、すなわち球面収差の補正範囲であれば、既存のＢＤプレイヤーでも再生することは原理的に可能である。
【産業上の利用可能性】
【００９８】
本発明にかかる光記録媒体のフォーマッタ装置は、トラッキング溝を持たない平坦な記録層を積み重ねた光記録媒体にサーボマークを正確かつ速やかに形成できる。これによって６層以上の１０層、１６層、といった超多層ディスクでの製造プロセスを簡易にできるので、ディスクの工数を下げ、歩留まりをあげることが可能であり、コストアップを抑制することができる。またこれを装置側でサンプルサーボを用いて記録再生を行うことにより、大容量のストレージ装置、システムを実現することができ、サーバのバックアップ装置や、重要なデータアーカイブ装置として極めて有用である。
【符号の説明】
【００９９】
１００  光記録媒体
１０１  カバー層
１０２  第１の記録層群（ＭＬ群）
１０３  リファレンス層
１０３ａ  リファレンス層Ａ
１０３ｂ  リファレンス層Ｂ
１０４  第２の記録層群（ＳＬ群）
１０５、１０００  ポリカーボネート基板
１０６  レーベル面
１０７  リードイン領域
１０８  トラッキング溝領域
３０１  トラッキング溝
３０２  溝切換部Ａ
３０３  ランド部
３０４  グルーブ部
３０５  溝切換部Ｂ
６０１  青色レーザ光源
６０２  リレーレンズ
６０３  ＡＯ変調器
６０４、６１５  偏光ビームスプリッタ
６０５、６１３  コリメートレンズ
６０６、６１２  ４分の１波長板
６０７  波長分離ビームスプリッタ
６０８  フォーカシングコイル
６０９、６１７  検出レンズ
６１０、６１８  光検出器
６１１  アクチュエータ
６１４  フォーカス補正コイル
６１６  赤色レーザ光源
６１９  トラッキングコイル
６２０  対物レンズ
６２１  赤色光学系フォーカス／トラッキング制御部
６２２  ２値化回路
６２３  フォーマット制御部
６２４  球面収差補正部
６２５  ＡＯＭ増幅器
６２６  青色光学系フォーカス制御部
６２７  青色レーザ駆動部
７０１  タイミングクロック作成器
７０２  サーボ情報作成器
７０３  青色レーザ変調器
７０４  ＡＯＭ変調器
７０５  ディスク情報解読器
７０６  層管理部
７０７  球面収差情報作成器
７０８  フォーカスジャンプ情報作成器
７０９  終始点検出器
８０１  原発振器
８０２  アドレス回路
８０３  ゾーンコントローラ
１３１１  記録トラックの中心
１３１２  タイミングマーク
１３１３  第１のトラッキング用マーク
１３１４  第２のトラッキング用マーク
１００１  Ｌ０記録層
１００２、１００４、１００６、１００８、１０１０  スペーサ層
１００３  Ｌ１記録層
１００５  Ｌ２記録層
１００７  Ｌ３記録層
１００９  Ｌ４記録層
１０１１  Ｌ５記録層
１０１２  カバー層
１０１３  レーザ光
【図１】
2014241179.tif 000004
【図２】
2014241179.tif 000005
【図３】
2014241179.tif 000006
【図４】
2014241179.tif 000007
【図５】
2014241179.tif 000008
【図６】
2014241179.tif 000009
【図７】
2014241179.tif 000010
【図８】
2014241179.tif 000011
【図９】
2014241179.tif 000012
【図１０】
2014241179.tif 000013
【図１１】
2014241179.tif 000014
【図１２】
2014241179.tif 000015
【図１３】
2014241179.tif 000016
【図１４】
2014241179.tif 000017